【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
遊技制御プログラムの作業領域としてのＲＡＭを備え被制御対象の作動を制御する制御手段と、上記ＲＡＭをクリアする時に操作されるクリアスイッチとを備え、電源投入時に上記クリアスイッチが操作されていれば上記ＲＡＭをクリアする弾球遊技機であって、
上記制御手段として遊技の進行全体を司る主制御基板と、及び上記制御手段としての入賞に応じた賞球の払出し制御を行う払出制御基板と、
ＬＣＤパネルユニットを駆動制御する図柄制御基板と、
上記主制御基板、払出制御基板及び図柄制御基板に電源を供給する電源基板と、を有し、
該電源基板はバックアップ電源生成回路から上記主制御基板及び払出制御基板に停電時に上記ＲＡＭの記憶を保持するバックアップ電源を供給し、
上記払出制御基板のＣＰＵは、電源投入時のみに上記ＲＯＭに記憶されたプログラムに従ってセキュリティチェックを行い、該セキュリティチェック終了後であって上記遊技制御プログラムにより実行される通常時の処理の前に上記クリアスイッチが操作されているか否かを判断し、該判断の結果により上記ＲＡＭをクリアすべきと判断すれば初期状態から起動し、クリアすべきでないと判断すれば電源遮断前の状態から再開し、
一方、上記主制御基板のＣＰＵは、電源投入時のみに上記ＲＯＭに記憶されたプログラムに従ってセキュリティチェックを行い、該セキュリティチェック終了後であって上記遊技制御プログラムにより実行される通常時の処理の前に上記クリアスイッチが操作されているか否かを判断し、該判断の結果により上記ＲＡＭをクリアすべきと判断すれば初期状態から起動し、クリアすべきでないと判断すれば電源遮断前の状態から再開し、更に、上記初期状態から起動するときには上記ＲＡＭをクリアしたことを報知する初期画像の表示を遊技機本体の上記ＬＣＤパネルユニットで行い、
更に、上記主制御基板のＣＰＵは、上記セキュリティチェックの後、上記電源遮断時の停電処理が適正に為されているか否かを判断し、適正に為されていないと判断すれば上記初期状態から起動し、上記初期状態から起動するときには上記初期画像の表示を遊技機本体の上記ＬＣＤパネルユニットで行い、
上記主制御基板及び払出制御基板の両ＣＰＵは、電源投入時でないときには上記クリアスイッチが操作されているか否かを判断しなく、
上記ＲＡＭをクリアすべきとの判断は、上記セキュリティチェック終了後であって上記通常時の処理の前に遊技者が上記クリアスイッチを操作している場合に行われ、
上記ＲＡＭをクリアすべきでないとの判断は、上記セキュリティチェック終了後であって上記通常時の処理の前に遊技者が上記クリアスイッチを操作していない場合に行われることを特徴とする弾球遊技機。
【請求項２】
遊技制御プログラムの作業領域としてのＲＡＭを備え被制御対象の作動を制御する制御手段と、上記ＲＡＭをクリアする時に操作されるクリアスイッチとを備え、電源投入時に上記クリアスイッチが操作されていれば上記ＲＡＭをクリアする弾球遊技機であって、
上記制御手段として遊技の進行全体を司る主制御基板と、
ＬＣＤパネルユニットを駆動制御する図柄制御基板と、
上記主制御基板及び図柄制御基板に電源を供給する電源基板と、を有し、
該電源基板はバックアップ電源生成回路から上記主制御基板に停電時に上記ＲＡＭの記憶を保持するバックアップ電源を供給し、
上記主制御基板のＣＰＵは、電源投入時のみに上記ＲＯＭに記憶されたプログラムに従ってセキュリティチェックを行い、該セキュリティチェック終了後であって上記遊技制御プログラムにより実行される通常時の処理の前に上記クリアスイッチが操作されているか否かを判断し、該判断の結果により上記ＲＡＭをクリアすべきと判断すれば初期状態から起動し、クリアすべきでないと判断すれば電源遮断前の状態から再開し、更に、上記初期状態から起動するときには上記ＲＡＭをクリアしたことを報知する初期画像の表示を遊技機本体の上記ＬＣＤパネルユニットで行い、
上記主制御基板のＣＰＵは、上記セキュリティチェックの後、上記電源遮断時の停電処理が適正に為されているか否かを判断し、適正に為されていないと判断すれば上記初期状態から起動し、上記初期状態から起動するときには上記初期画像の表示を遊技機本体の上記ＬＣＤパネルユニットで行い、
上記主制御基板のＣＰＵは、電源投入時でないときには上記クリアスイッチが操作されているか否かを判断しなく、
上記ＲＡＭをクリアすべきとの判断は、上記セキュリティチェック終了後であって上記通常時の処理の前に遊技者が上記クリアスイッチを操作している場合に行われ、
上記ＲＡＭをクリアすべきでないとの判断は、上記セキュリティチェック終了後であって上記通常時の処理の前に遊技者が上記クリアスイッチを操作していない場合に行われ、
更に、上記電源遮断時の停電処理が適正に為されているか否かの判断を上記セキュリティチェック終了後であって上記クリアスイッチを操作しているかの判断の前に実行し、適正に為されていないと判断された場合は上記クリアスイッチを操作しているかの判断を実行しないことを特徴とする弾球遊技機。
【請求項３】
遊技制御プログラムの作業領域としてのＲＡＭを備え被制御対象の作動を制御する制御手段と、上記ＲＡＭをクリアする時に操作されるクリアスイッチとを備え、電源投入時に上記クリアスイッチが操作されていれば上記ＲＡＭをクリアする弾球遊技機であって、
上記制御手段として遊技の進行全体を司る主制御基板と、
ランプの点灯制御を行うランプ制御基板と、
上記主制御基板及びランプ制御基板に電源を供給する電源基板と、を有し、
該電源基板はバックアップ電源生成回路から上記主制御基板に停電時に上記ＲＡＭの記憶を保持するバックアップ電源を供給し、
上記主制御基板のＣＰＵは、電源投入時のみに上記ＲＯＭに記憶されたプログラムに従ってセキュリティチェックを行い、該セキュリティチェック終了後であって上記遊技制御プログラムにより実行される通常時の処理の前に上記クリアスイッチが操作されているか否かを判断し、該判断の結果により上記ＲＡＭをクリアすべきと判断すれば初期状態から起動し、クリアすべきでないと判断すれば電源遮断前の状態から再開し、更に、上記初期状態から起動するときには上記ＲＡＭをクリアしたことを報知する初期装飾を表示する旨のコマンドデータを上記ランプ制御基板に送信し、
上記主制御基板のＣＰＵは、上記セキュリティチェックの後、上記電源遮断時の停電処理が適正に為されているか否かを判断し、適正に為されていないと判断すれば上記初期状態から起動し、上記初期状態から起動するときには上記ＲＡＭをクリアしたことを報知する上記初期装飾を表示する旨のコマンドデータを上記ランプ制御基板に送信し、
上記主制御基板のＣＰＵは、電源投入時でないときには上記クリアスイッチが操作されているか否かを判断しなく、
上記ＲＡＭをクリアすべきとの判断は、上記セキュリティチェック終了後であって上記通常時の処理の前に遊技者が上記クリアスイッチを操作している場合に行われ、
上記ＲＡＭをクリアすべきでないとの判断は、上記セキュリティチェック終了後であって上記通常時の処理の前に遊技者が上記クリアスイッチを操作していない場合に行われ、
更に、上記電源遮断時の停電処理が適正に為されているか否かの判断を上記セキュリティチェック終了後であって上記クリアスイッチを操作しているかの判断の前に実行し、適正に為されていないと判断された場合は上記クリアスイッチを操作しているかの判断を実行しないことを特徴とする弾球遊技機。
【手続補正２】
【補正対象書類名】明細書
【補正対象項目名】００１０
【補正方法】変更
【補正の内容】
【００１０】
請求項１記載の発明では、遊技制御プログラムの作業領域としてのＲＡＭを備え被制御対象の作動を制御する制御手段と、上記ＲＡＭをクリアする時に操作されるクリアスイッチとを備え、電源投入時に上記クリアスイッチが操作されていれば上記ＲＡＭをクリアする弾球遊技機であって、
上記制御手段として遊技の進行全体を司る主制御基板と、及び上記制御手段としての入賞に応じた賞球の払出し制御を行う払出制御基板と、
ＬＣＤパネルユニットを駆動制御する図柄制御基板と、
上記主制御基板、払出制御基板及び図柄制御基板に電源を供給する電源基板と、を有し、
該電源基板はバックアップ電源生成回路から上記主制御基板及び払出制御基板に停電時に上記ＲＡＭの記憶を保持するバックアップ電源を供給し、
上記払出制御基板のＣＰＵは、電源投入時のみに上記ＲＯＭに記憶されたプログラムに従ってセキュリティチェックを行い、該セキュリティチェック終了後であって上記遊技制御プログラムにより実行される通常時の処理の前に上記クリアスイッチが操作されているか否かを判断し、該判断の結果により上記ＲＡＭをクリアすべきと判断すれば初期状態から起動し、クリアすべきでないと判断すれば電源遮断前の状態から再開し、
一方、上記主制御基板のＣＰＵは、電源投入時のみに上記ＲＯＭに記憶されたプログラムに従ってセキュリティチェックを行い、該セキュリティチェック終了後であって上記遊技制御プログラムにより実行される通常時の処理の前に上記クリアスイッチが操作されているか否かを判断し、該判断の結果により上記ＲＡＭをクリアすべきと判断すれば初期状態から起動し、クリアすべきでないと判断すれば電源遮断前の状態から再開し、更に、上記初期状態から起動するときには上記ＲＡＭをクリアしたことを報知する上記初期画像の表示を遊技機本体の上記ＬＣＤパネルユニットで行い、
更に、上記主制御基板のＣＰＵは、上記セキュリティチェックの後、上記電源遮断時の停電処理が適正に為されているか否かを判断し、適正に為されていないと判断すれば上記初期状態から起動し、上記初期状態から起動するときには初期画像の表示を遊技機本体の上記ＬＣＤパネルユニットで行い、
上記主制御基板及び払出制御基板の両ＣＰＵは、電源投入時でないときには上記クリアスイッチが操作されているか否かを判断しなく、
上記ＲＡＭをクリアすべきとの判断は、上記セキュリティチェック終了後であって上記通常時の処理の前に遊技者が上記クリアスイッチを操作している場合に行われ、
上記ＲＡＭをクリアすべきでないとの判断は、上記セキュリティチェック終了後であって上記通常時の処理の前に遊技者が上記クリアスイッチを操作していない場合に行われる構成とする。
請求項２記載の発明では、
遊技制御プログラムの作業領域としてのＲＡＭを備え被制御対象の作動を制御する制御手段と、上記ＲＡＭをクリアする時に操作されるクリアスイッチとを備え、電源投入時に上記クリアスイッチが操作されていれば上記ＲＡＭをクリアする弾球遊技機であって、
上記制御手段として遊技の進行全体を司る主制御基板と、
ＬＣＤパネルユニットを駆動制御する図柄制御基板と、
上記主制御基板及び図柄制御基板に電源を供給する電源基板と、を有し、
該電源基板はバックアップ電源生成回路から上記主制御基板に停電時に上記ＲＡＭの記憶を保持するバックアップ電源を供給し、
上記主制御基板のＣＰＵは、電源投入時のみに上記ＲＯＭに記憶されたプログラムに従ってセキュリティチェックを行い、該セキュリティチェック終了後であって上記遊技制御プログラムにより実行される通常時の処理の前に上記クリアスイッチが操作されているか否かを判断し、該判断の結果により上記ＲＡＭをクリアすべきと判断すれば初期状態から起動し、クリアすべきでないと判断すれば電源遮断前の状態から再開し、更に、上記初期状態から起動するときには上記ＲＡＭをクリアしたことを報知する初期画像の表示を遊技機本体の上記ＬＣＤパネルユニットで行い、
上記主制御基板のＣＰＵは、上記セキュリティチェックの後、上記電源遮断時の停電処理が適正に為されているか否かを判断し、適正に為されていないと判断すれば上記初期状態から起動し、上記初期状態から起動するときには上記初期画像の表示を遊技機本体の上記ＬＣＤパネルユニットで行い、
上記主制御基板のＣＰＵは、電源投入時でないときには上記クリアスイッチが操作されているか否かを判断しなく、
上記ＲＡＭをクリアすべきとの判断は、上記セキュリティチェック終了後であって上記通常時の処理の前に遊技者が上記クリアスイッチを操作している場合に行われ、
上記ＲＡＭをクリアすべきでないとの判断は、上記セキュリティチェック終了後であって上記通常時の処理の前に遊技者が上記クリアスイッチを操作していない場合に行われ、
更に、上記電源遮断時の停電処理が適正に為されているか否かの判断を上記セキュリティチェック終了後であって上記クリアスイッチを操作しているかの判断の前に実行し、適正に為されていないと判断された場合は上記クリアスイッチを操作しているかの判断を実行しない構成とする。
請求項３記載の発明では、
遊技制御プログラムの作業領域としてのＲＡＭを備え被制御対象の作動を制御する制御手段と、上記ＲＡＭをクリアする時に操作されるクリアスイッチとを備え、電源投入時に上記クリアスイッチが操作されていれば上記ＲＡＭをクリアする弾球遊技機であって、
上記制御手段として遊技の進行全体を司る主制御基板と、
ランプの点灯制御を行うランプ制御基板と、
上記主制御基板及びランプ制御基板に電源を供給する電源基板と、を有し、
該電源基板はバックアップ電源生成回路から上記主制御基板に停電時に上記ＲＡＭの記憶を保持するバックアップ電源を供給し、
上記主制御基板のＣＰＵは、電源投入時のみに上記ＲＯＭに記憶されたプログラムに従ってセキュリティチェックを行い、該セキュリティチェック終了後であって上記遊技制御プログラムにより実行される通常時の処理の前に上記クリアスイッチが操作されているか否かを判断し、該判断の結果により上記ＲＡＭをクリアすべきと判断すれば初期状態から起動し、クリアすべきでないと判断すれば電源遮断前の状態から再開し、更に、上記初期状態から起動するときには上記ＲＡＭをクリアしたことを報知する初期装飾を表示する旨のコマンドデータを上記ランプ制御基板に送信し、
上記主制御基板のＣＰＵは、上記セキュリティチェックの後、上記電源遮断時の停電処理が適正に為されているか否かを判断し、適正に為されていないと判断すれば上記初期状態から起動し、上記初期状態から起動するときには上記ＲＡＭをクリアしたことを報知する上記初期装飾を表示する旨のコマンドデータを上記ランプ制御基板に送信し、
上記主制御基板のＣＰＵは、電源投入時でないときには上記クリアスイッチが操作されているか否かを判断しなく、
上記ＲＡＭをクリアすべきとの判断は、上記セキュリティチェック終了後であって上記通常時の処理の前に遊技者が上記クリアスイッチを操作している場合に行われ、
上記ＲＡＭをクリアすべきでないとの判断は、上記セキュリティチェック終了後であって上記通常時の処理の前に遊技者が上記クリアスイッチを操作していない場合に行われ、
更に、上記電源遮断時の停電処理が適正に為されているか否かの判断を上記セキュリティチェック終了後であって上記クリアスイッチを操作しているかの判断の前に実行し、適正に為されていないと判断された場合は上記クリアスイッチを操作しているかの判断を実行しない構成とする。